(57)【要約】      （修正有）【課題】郵便物としての規格に好適に対応し得るとともに載置面に対して縦置き姿勢と横置き姿勢の双方の姿勢を採り得る脚片により起立できるはがきを提供する。【解決手段】はがきＨは、宛名面シートＡと、当該宛名面シートＡに重ね合わされた通信面シートとを備えている。宛名面シートＡが、通信面シートに接着された宛名面シート本体１と、この宛名面シート本体１に折り曲げ可能な線ｍを介して連設された脚片２と、通信面シートの角部に接着された角部接着片３とを備えている。そして、脚片２は、切断可能な連結部ｃ１、ｄ１を有した切り取り可能な線ｃ、ｄを介して角部接着片３に接続している。このはがきＨは、脚片２における第一の接地縁部２１と通信面シートにおける第一の縁部とを載置面に接触させた状態、又は、脚片２における第二の接地縁部２２と通信面シートにおける第二の縁部とを載置面に接触させた状態で、通信面シートを載置面に対して起立させ得る。切り取り可能な線ｃ、ｄは、直線状のものに限られない。【選択図】図１
0003209334.tif 000002
【実用新案登録請求の範囲】
【請求項１】
外面側に宛先表示領域が設けられた宛名面シートと、この宛名面シートと略同じ大きさに設定され当該宛名面シートに重ね合わされた通信面シートとを備えたはがきであって、
前記宛名面シートが、前記通信面シートに接着された宛名面シート本体と、この宛名面シート本体に折り曲げ可能な線を介して連設された脚片と、前記通信面シートの角部に接着された角部接着片とを備えており、
前記脚片が、切断可能な連結部を有した第一、第二の切り取り可能な線を介して前記宛名面シート本体に接続するとともに、切断可能な連結部を有した第三の切り取り可能な線を介して前記角部接着片に接続するものであり、
前記脚片が、前記通信面シートの第一の縁部に合致する位置に設けられ載置面に接し得る直線状の第一の接地縁部と、前記通信面シートにおける第一の縁部と直交する第二の縁部に合致する位置に設けられ載置面に接し得る直線状の第二の接地縁部とを備えており、
前記脚片における前記第一の接地縁部と前記通信面シートにおける第一の縁部とを載置面に接触させた状態、又は、前記脚片における前記第二の接地縁部と前記通信面シートにおける第二の縁部とを載置面に接触させた状態で、前記通信面シートを載置面に対して起立させ得るように構成されているはがき。
【請求項２】
前記第一、第二の切り取り可能な線が直線状をなしており、前記第三の切り取り可能な線が曲線状をなしている請求項１記載のはがき。
【請求項３】
前記宛名面シート及び前記通信面シートが紙製又は合成樹脂製のものである請求項１又は２記載のはがき。
【請求項４】
前記宛名面シート本体が、接着剤を介して前記通信面シートに接着されたものであり、
前記角部接着片が、接着剤を介して前記通信面シートの角部に接着されたものである請求項１、２又は３記載のはがき。
【請求項５】
前記宛先表示領域に、郵便番号を表記させるための枠線が表示されている請求項１、２、３又は４記載のはがき。
【請求項６】
前記第一、第二、第三の切り取り可能な線における各連結部が切断した状態で、前記脚片が前記折り曲げ可能な線を回動中心にして回動し得るように構成されている請求項１、２、３、４又は５記載のはがき。
【考案の詳細な説明】
【技術分野】
【０００１】
本考案は、はがきに関するものである。
【背景技術】
【０００２】
従来から、切り起こし可能な脚片が設けられたはがきが知られている。この種のはがきには、脚片（スタンド）が設けられている。そして、その脚片を、写真や絵画や文章等が記載されている板状本体部分から切り起こすことができるようになっており、切り起こされた脚片と板状本体部分とが協働することによって、板状本体部分を天板等の載置面に対して起立させ得るように構成されている（例えば特許文献１参照）。
【０００３】
ところが、従来のものは、板状本体部分を載置面に対して縦置き姿勢で起立させ得るだけ、或いは、板状本体部分を載置面に対して横置き姿勢で起立させ得るだけ、しかできなかった。つまり、従来のはがきは、縦置き姿勢と横置き姿勢の双方の姿勢を採り得るものとはなっていなかった。
【０００４】
なお、従来から、縦置き姿勢と横置き姿勢の双方の姿勢を採り得るはがきを実現するために、一案として、脚片の基端縁を板状本体部分の中央部に位置させるとともに脚片の先端縁を板状本体部分の角部に位置させることが検討されていた。ところが、このようにすると、脚片の先端縁を板状本体部分の角部に位置させているので、板状本体部分に対して脚片の先端縁が離れやすい構造を採らざるを得ず、郵便物としての規格に不適合なものとなってしまうという課題があった。すなわち、はがきは、実際の郵便物として取り扱われるものであるから、例えば仕分け装置内を高速通過するような状況や他の郵便物が脚片と板状本体部分との間に入り込むような状況におかれても、脚片が板状本体部分から離れ難いことが望ましい。
【先行技術文献】
【特許文献】
【０００５】
【特許文献１】特許第５５９３４７８号公報
【考案の概要】
【考案が解決しようとする課題】
【０００６】
本考案は、このような課題に着目してなされたものであって、郵便物としての規格に好適に対応し得るとともに載置面に対して縦置き姿勢と横置き姿勢の双方の姿勢を採り得るはがきを提供することにある。
【課題を解決するための手段】
【０００７】
すなわち、本考案は次の構成をなしている。
【０００８】
請求項１に係る考案は、外面側に宛先表示領域が設けられた宛名面シートと、この宛名面シートと略同じ大きさに設定され当該宛名面シートに重ね合わされた通信面シートとを備えたはがきであって、前記宛名面シートが、前記通信面シートに接着された宛名面シート本体と、この宛名面シート本体に折り曲げ可能な線を介して連設された脚片と、前記通信面シートの角部に接着された角部接着片とを備えており、前記脚片が、切断可能な連結部を有した第一、第二の切り取り可能な線を介して前記宛名面シート本体に接続するとともに、切断可能な連結部を有した第三の切り取り可能な線を介して前記角部接着片に接続するものであり、前記脚片が、前記通信面シートの第一の縁部に合致する位置に設けられ載置面に接し得る直線状の第一の接地縁部と、前記通信面シートにおける第一の縁部と直交する第二の縁部に合致する位置に設けられ載置面に接し得る直線状の第二の接地縁部とを備えており、前記脚片における前記第一の接地縁部と前記通信面シートにおける第一の縁部とを載置面に接触させた状態、又は、前記脚片における前記第二の接地縁部と前記通信面シートにおける第二の縁部とを載置面に接触させた状態で、前記通信面シートを載置面に対して起立させ得るように構成されているはがきである。
【０００９】
このようなものであれば、脚片が、第三の切り取り可能な線を介して角部接着片に接続しているため、郵便物として搬送される際に、脚片が通信面シートから剥がれてしまうことが好適に抑制され得るものとなる。
【００１０】
しかも、脚片が、第一、第二の接地縁部を備えているため、通信面シートが縦長に起立する縦置き姿勢と、通信面シートが横長に起立する横置き姿勢の双方の姿勢を好適に採り得るものとなっている。
【００１１】
請求項２に係る考案は、前記第一、第二の切り取り可能な線が直線状をなしており、前記第三の切り取り可能な線が曲線状をなしている請求項１記載のはがきである。
【００１２】
このようなものであれば、脚片と角部接着片との間に第三の切り取り可能な線が長く形成され得るものとなり、脚片と角部接着片とを連結し得る連結部を多く設け得るものとなっている。
【００１３】
請求項３に係る考案は、前記宛名面シート及び前記通信面シートが紙製又は合成樹脂製のものである請求項１又は２記載のはがきである。
【００１４】
このようなものであれば、軽量であり、且つ、製造しやすいはがきを提供し得るものとなる。
【００１５】
請求項４に係る考案は、前記宛名面シート本体が、接着剤を介して前記通信面シートに接着されたものであり、前記角部接着片が、接着剤を介して前記通信面シートの角部に接着されたものである請求項１、２又は３記載のはがき。
【００１６】
このようなものであれば、宛名面シート本体、及び、角部接着片が、裏面チートに好適に止着されたものとなる。
【００１７】
請求項５に係る考案は、前記宛先表示領域に、郵便番号を表記させるための枠線が表示されている請求項１、２、３又は４記載のはがきである。
【００１８】
このようなものであれば、使用者が、宛名面シートと通信面シートとを取り違えてしまうことが好適に抑制され得るものとなる。
【００１９】
請求項６に係る考案は、前記第一、第二、第三の切り取り可能な線における各連結部が切断した状態で、前記脚片が前記折り曲げ可能な線を回動中心にして回動し得るように構成されている請求項１、２、３、４又は５記載のはがきである。
【００２０】
このようなものであれば、脚片が、通信面シートから離れて位置し得るものとなり、通信面シートを好適に起立させ得るものとなっている。
【考案の効果】
【００２１】
以上説明したように本考案によれば、郵便物としての規格に好適に対応し得るとともに載置面に対して縦置き姿勢と横置き姿勢の双方の姿勢を採り得るはがきを提供することができるものとなる。
【図面の簡単な説明】
【００２２】
【図１】本考案の一実施形態を示す正面図。
【図２】図１におけるＪ方向矢視図。
【図３】図１におけるＫ方向矢視図。
【図４】同実施形態における分解斜視図。
【図５】同実施形態における斜視図。
【図６】同実施形態における斜視図。
【図７】同実施形態における斜視図。
【図８】同実施形態における斜視図。
【図９】同実施形態における斜視図。
【考案を実施するための形態】
【００２３】
以下、本考案の一実施形態を、図１〜９を参照して説明する。
【００２４】
はがきＨは、いわゆる私製葉書に属するものであり、通常はがきの規格に対応して製造されている。なお、私製葉書は、内国郵便約款第二十二条において、重さやサイズ等に関する詳細が定められている。
【００２５】
はがきＨは、外面側に宛先表示領域ｓｐが設けられた長方形状をなす宛名面シートＡと、この宛名面シートＡと略同じ大きさに設定された長方形状をなし当該宛名面シートＡに端縁を揃えた状態で重ね合わされた通信面シートＢとを備えている。
【００２６】
宛名面シートＡは、紙製のものである。宛名面シートＡは、通信面シートＢに接着された宛名面シート本体１と、この宛名面シート本体１に折り曲げ可能な線ｍを介して連設された脚片２と、通信面シートＢの正面視における右下の角部ｂ１に接着された角部接着片３とを備えている。
【００２７】
宛名面シート本体１は、図示しない接着剤を介して通信面シートＢに重ね合った状態で接着されている。通信面シート本体１は、外面側に宛先等を表示させるための宛先表示領域ｓｐを有している。この実施形態では、宛先表示領域ｓｐにおける上部に、郵便番号を表記させるための枠線ｗと、切手を貼り付けるための箇所を案内する案内枠線ｘが表示されている。なお、図２、及び、図３では、接着剤を介して接着された宛名面シート本体１と通信面シートＢとの接着部分を太線で強調して示している。
【００２８】
脚片２は、折り曲げ可能な線ｍを介して宛名面シート本体１に連続している。脚片２は、通信面シートＢに対して重ね合った状態を採り得るものであるが、当該通信面シートＢに対して接着はしていない。脚片２は、当該脚片２と宛名面シート１間を連結している切断可能な連結部ｃ１、ｄ１を有した直線状をなす第一、第二の切り取り可能な線ｃ、ｄを介して宛名面シート本体１に接続するとともに、当該脚片２と角部接着片３間を連結している切断可能な連結部ｅ１を有した第三の切り取り可能な線ｅを介して角部接着片３に接続している。
【００２９】
脚片２は、通信面シートＢの正面視における下縁である第一の縁部ｎ１に合致する位置に設けられ載置面Ｒに接し得る直線状の第一の接地縁部２１と、通信面シートＢにおける第一の縁部ｎ１と直行する右側縁である第二の縁部ｎ２に合致する位置に設けられ机の天板等の載置面Ｒに接し得る直線状の第二の接地縁部２２とを備えている。脚片２における第一の接地縁部２１は、正面視における脚片２の下縁であり、脚片２における第二の接地縁部２２は、正面視における脚片２の右側縁である。
【００３０】
はがきＨは、脚片２における第一の接地縁部２１と通信面シートＢにおける第一の縁部ｎ１とを載置面Ｒに接触させた状態で、通信面シートＢを載置面Ｒに対して縦置き姿勢（Ｔ）で起立させ得るように構成されているとともに、脚片２における第二の接地縁部２２と通信面シートＢにおける第二の縁部ｎ２とを載置面Ｒに接触させた状態で、通信面シートＢを載置面Ｒに対して横置き姿勢（Ｙ）で起立させ得るように構成されている。
【００３１】
角部接着片３は、正面視において扇型をなしているものであり、図示しない接着剤を介して通信面シートＢにおける正面視における右下の角部ｂ１に接着されている。なお、図２、及び、図３では、接着剤を介して接着された角部接着片３と通信面シートＢとの接着部分を太線で強調して示している。
【００３２】
通信面シートＢは、宛名面シートＡと略同じ厚み寸法をなした紙製のものである。通信面シートＢは、外面側に写真や絵画や文字等が表示され得る表示領域ａｒを備えている。角部ｂ１は、通信面シートＢにおける少なくとも一箇所に設けられたものである。角部ｂ１は、直交する二辺である第一、第二の縁部ｎ１、ｎ２を有してなる略直角の形状部分である。
【００３３】
はがきＨは、図５に示すように、全体として一枚の板状をなし郵便物として搬送され得る郵便物状態（Ｊ）と、図６〜９に示すように、通信面シートＢに対して宛名面シートＡの脚片２が突出し当該脚片２と通信面シートＢとが協働して通信面シートＢが天板等の載置面Ｒに対して起立した状態をなす展示物状態（Ｋ）を採り得るものとなっている。
【００３４】
はがきＨは、郵便物状態（Ｊ）では、第一、第二、第三の切り取り可能な線ｃ、ｄ、ｅにおける各連結部ｃ１、ｄ１、ｅ１が切断されておらず、第一、第二の切り取り可能な線ｃ、ｄにおける連結部ｃ１、ｄ１によって脚片２と宛名面シート１との間を繋いでいるとともに、第三の切り取り可能な線ｅにおける連結部ｅ１によって脚片２と角部接着片３とを繋いでいる。郵便物状態（Ｊ）のはがきＨは、脚片２が通信面シートＢに重なった状態に保持されている。
【００３５】
はがきＨは、展示物状態（Ｋ）では、第一、第二、第三の切り取り可能な線ｃ、ｄ、ｅにおける各連結部ｃ１、ｄ１、ｅ１が使用者による操作によって切断されており、脚片２が折り曲げ可能な線ｍを回動中心にして回動し得るように構成されている。展示物状態（Ｋ）のはがきＨは、脚片２の第一、第二の接地縁部２１、２２は、通信面シートＢの第一、第二の縁部ｎ１、ｎ２と離間した状態を採り得るようになっている。
【００３６】
第一の切り取り可能な線ｃは、脚片２と宛名面シート１との間に位置しており、直線状に延びている。第一の切り取り可能な線ｃは、その一端（上端）が斜めに設けられた折り曲げ可能な線ｍの下端部に位置しており、他端（下端）が宛名面シートＡにおける下縁の左右方向中間部に位置している。第一の切り取り可能な線ｃは、使用者の操作力によって切断可能な強度を有した連結部ｃ１を間欠的に配しており、これらが切断されていない状態では、脚片２と宛名面シート１との間を連結している。
【００３７】
第二の切り取り可能な線ｄは、脚片２と宛名面シート１との間に位置しており、直線状に延びている。第二の切り取り可能な線ｄは、その一端（上端）が斜めに設けられた折り曲げ可能な線ｍの上端部に位置しており、他端（下端）が宛名面シートＡにおける右側縁の上下方向中間部に位置している。第二の切り取り可能な線ｄは、使用者の操作力によって切断可能な連結部ｄ１を間欠的に配しており、これらが切断されていない状態では、脚片２と宛名面シート１との間を連結している。
【００３８】
第三の切り取り可能な線ｅは、脚片２と角部接着片３との間に位置しており、四分の一円弧状に延びている。第三の切り取り可能な線ｅは、その一端が宛名面シートＡにおける下縁の右部に位置しており、他端が宛名面シートＡにおける右側縁の下部に位置している。第三の切り取り可能な線ｅは、使用者の操作力によって切断可能な連結部ｅ１を間欠的に配しており、これらが切断されていない状態では、脚片２と角部接着片３との間を連結している。
【００３９】
本実施形態に係るはがきＨは、以上に述べた構成を備えたものであるため、郵便物としての規格に好適に対応し得るとともに載置面Ｒに対して縦置き姿勢（Ｔ）と横置き姿勢（Ｙ）の双方の姿勢を柔軟に採り得るものとなっている。
【００４０】
なお、本考案は、以上に詳述した実施形態に限られるものではない。
【００４１】
はがきは、上述した実施形態に示されたような紙製のものに限定されるものではない。はがきは、合成樹脂を主体に構成されたものであってもよいし、紙製部分と合成樹脂部分とを組み合わせて構成したものであってもよい。
【００４２】
宛名面シートは、通信面シートに対応した形状をなしていればよく、上述した実施形態に示された長方形状をなすものに限定されるものではない。
【００４３】
通信面シートは、宛名面シートに対応した形状をなしていればよく、上述した実施形態に示された長方形状をなすものに限定されるものではない。
【００４４】
脚片の大きさや形状については、適宜設定し得るものであり、上述した実施形態に示されるものに限定されるものではない。
【００４５】
角部接着片の大きさや形状は、種々の形状を採用することができるものであり、上述した実施形態に示されるものに限定されるものではない。
【００４６】
第一、第二の切り取り可能な線は、直線状のものに限定されるものではない。また、第三の切り取り可能な線は、曲線状のものに限定されるものではない。
【００４７】
その他、各部の具体的構成についても上記実施形態に限られるものではなく、本考案の趣旨を逸脱しない範囲で種々変形が可能である。
【符号の説明】
【００４８】
Ｈ…はがき
Ａ…宛名面シート
Ｂ…通信面シート
１…宛名面シート本体
２…脚片
３…角部接着片
【図１】
0003209334.tif 000003
【図２】
0003209334.tif 000004
【図３】
0003209334.tif 000005
【図４】
0003209334.tif 000006
【図５】
0003209334.tif 000007
【図６】
0003209334.tif 000008
【図７】
0003209334.tif 000009
【図８】
0003209334.tif 000010
【図９】
0003209334.tif 000011